(57)【要約】【課題】回転電機ステータにおいて、各相において並列に接続されるコイル間での循環電流の発生を抑制することである。【解決手段】回転電機ステータは、ステータコア、各相ステータコイルが互いに並列に接続される複数の単位コイル線を有する３相ステータコイル、３相の給電部、及び第１相の給電部と１８０度異なる位置に配置される中性点結線部を含む。単位コイル線は、コイル部の両端からステータコアの周方向に伸びて配置される給電側引き出し線及び中性点側引き出し線を有する。各相の給電側引き出し線の一端は対応する相の給電部に接続され、３相の中性点側引き出し線の一端は中性点結線部で接続される。第２相及び第３相の給電部は、ステータコアの周方向に関して第１相の給電部が配置されている側の半部に配置される。第１相の複数の単位コイル線間で給電側、中性点側両引き出し線の合計長さは同じである。【選択図】図４
2016039642.tif 000002
【特許請求の範囲】
【請求項１】
円環状のヨーク、及び前記ヨークの周方向複数位置において径方向内側に突出する複数のティースを含むステータコアと、
３相のステータコイルであって、各相ステータコイルが互いに並列に接続される複数の単位コイル線を有する３相のステータコイルと、
前記ステータコアの外径側に配置され、各相の複数の単位コイル線に給電する３相の給電部と、
前記ステータコアの外径側において、前記３相の給電部のうち、第１相の給電部と１８０度周方向に異なる位置に配置される中性点結線部とを備え、
前記単位コイル線は、前記ティースに巻回されるコイル部と、前記コイル部の一端から前記ステータコアの外周側に引き出され、前記ステータコアの周方向に伸びて配置される給電側引き出し線と、前記コイルの他端から前記ステータコアの外周側に引き出され、前記ステータコアの周方向に伸びて配置される中性点側引き出し線とを有し、
各相のステータコイルの各単位コイル線における前記各給電側引き出し線の一端は、対応する相の前記給電部に接続され、
各相のステータコイルの各単位コイル線における前記各中性点側引き出し線の一端は、前記中性点結線部で接続され、
前記３相の給電部のうち、第２相及び第３相の給電部は、前記ステータコアの周方向に関して前記第１相の給電部が配置されている側の半部に配置され、
前記第１相のステータコイルの複数の単位コイル線間では、それぞれにおける前記給電側引き出し線及び前記中性点側引き出し線の合計長さが同じである、回転電機ステータ。
【発明の詳細な説明】
【技術分野】
【０００１】
本発明は、ステータコアのティースに巻回されるコイル部を備える回転電機ステータに関し、特に３相の各相において並列に接続されるコイル部間で発生する循環電流を抑制する構造に関する。
【背景技術】
【０００２】
特許文献１には、ステータコアに巻回された３相のコイル部のそれぞれにおいて、各コイル部の両端からステータコアの外周側に第１引き出し線及び第２引き出し線を引き出すことが記載されている。引き出された各引き出し線は、ステータコアの周方向に伸びて配置される。各第１引き出し線の一端は動力線側の給電部で接続され、各第２引き出し線の一端は中性点結線部で接続される。
【先行技術文献】
【特許文献】
【０００３】
【特許文献１】特開２０１３−１３２１７３号公報
【発明の概要】
【発明が解決しようとする課題】
【０００４】
特許文献１に記載されたステータでは周方向において給電部の近くに中性点結線部が配置される。これによって、各相の複数のコイル部間で、それぞれのコイル部に接続される引き出し線の合計長さが大きく異なる場合がある。このことから、複数のコイル部間での抵抗差が大きくなるので、複数のコイル部間で循環電流が発生して損失悪化につながるおそれがある。
【０００５】
本発明の目的は、回転電機ステータにおいて、各相において並列に接続されるコイル部間での循環電流の発生を抑制することである。
【課題を解決するための手段】
【０００６】
本発明に係る回転電機ステータは、円環状のヨーク、及び前記ヨークの周方向複数位置において径方向内側に突出する複数のティースを含むステータコアと、３相のステータコイルであって、各相ステータコイルが互いに並列に接続される複数の単位コイル線を有する３相のステータコイルと、前記ステータコアの外径側に配置され、各相の複数の単位コイル線に給電する３相の給電部と、前記ステータコアの外径側において、前記３相の給電部のうち、第１相の給電部と１８０度周方向に異なる位置に配置される中性点結線部とを備える。前記単位コイル線は、前記ティースに巻回されるコイル部と、前記コイル部の一端から前記ステータコアの外周側に引き出され、前記ステータコアの周方向に伸びて配置される給電側引き出し線と、前記コイルの他端から前記ステータコアの外周側に引き出され、前記ステータコアの周方向に伸びて配置される中性点側引き出し線とを有する。各相のステータコイルの各単位コイル線における前記各給電側引き出し線の一端は、対応する相の前記給電部に接続され、各相のステータコイルの各単位コイル線における前記各中性点側引き出し線の一端は、前記中性点結線部で接続される。前記３相の給電部のうち、第２相及び第３相の給電部は、前記ステータコアの周方向に関して前記第１相の給電部が配置されている側の半部に配置される。前記第１相のステータコイルの複数の単位コイル線間では、それぞれにおける前記給電側引き出し線及び前記中性点側引き出し線の合計長さが同じである。
【発明の効果】
【０００７】
本発明の回転電機ステータによれば、各相において並列に接続されるコイル部間での循環電流の発生を抑制できる。このため、損失悪化を抑制できる。
【図面の簡単な説明】
【０００８】
【図１】本発明の実施形態の回転電機ステータを示す概略図である。
【図２】図１の回転電機ステータの周方向一部を示す図である。
【図３】本発明の実施形態の回転電機ステータにおいて、３相のステータコイルの回路図である。
【図４】本発明の実施形態の回転電機ステータにＵ相コイル部を配置した状態で、Ｕ相の引き出し線と、給電部及び中性点結線部との接続状態を示す模式図である。
【図５】本発明の実施形態の回転電機ステータにＶ相コイル部を配置した状態で、Ｖ相の引き出し線と、給電部及び中性点結線部との接続状態を示す模式図である。
【図６】本発明の実施形態の回転電機ステータにＷ相コイル部を配置した状態で、Ｗ相の引き出し線と、給電部及び中性点結線部との接続状態を示す模式図である。
【図７】本発明の実施形態の回転電機ステータにおいて、Ｕ相のステータコイルの回路図である。
【図８】比較例の回転電機ステータにおいて、Ｕ相のステータコイルの等価回路を示す図である。
【発明を実施するための形態】
【０００９】
以下、本発明の実施形態について図面を用いて説明する。以下で説明する回転電機は、電動モータ、発電機、または電動モータ及び発電機の両方の機能を有するモータジェネレータのいずれとして用いられてもよい。以下で説明する材質、数量などは説明のための例示であって、回転電機ステータの仕様により変更が可能である。以下では、すべての図面において同様の要素には同一の符号を付して説明する。
【００１０】
図１は、実施形態の回転電機ステータ１０を示す概略図である。図２は、図１の回転電機ステータ１０の周方向一部を示す図である。以下では回転電機ステータ１０は、単にステータ１０と記載する。ステータ１０は、ステータコア１２と、３相ステータコイル２０と、３相給電部４０と、中性点結線部５０とを備える。３相ステータコイル２０は、Ｕ相ステータコイル２０ｕ、Ｖ相ステータコイル２０ｖ及びＷ相ステータコイル２０ｗによって構成される。Ｕ相、Ｖ相、Ｗ相は、それぞれ第１相、第２相、第３相に相当する。３相給電部４０は、Ｕ相給電部４０ｕ、Ｖ相給電部４０ｖ及びＷ相給電部４０ｗによって構成される。
【００１１】
ステータコア１２は、円環状のヨーク１３と、ヨーク１３の内周面の周方向複数位置から径方向内側に突出する複数のティース１４とを有する。ステータコア１２は、複数の電磁鋼板の積層体によって形成される。ステータコア１２は、樹脂バインダを含む磁性粉末を加圧成形してなる圧粉コアにより形成されてもよい。ここで「周方向」とは、ステータ１０の中心軸Ｏを中心とする円周方向をいう。なお、「径方向」とは中心軸Ｏに対し直交する放射方向をいい、「軸方向」とはステータ１０の軸方向をいう。
【００１２】
ステータ１０は、使用時にロータ及び図示しない回転軸と組み合わされて回転電機を構成する。ステータコア１２は図示しないケースに固定され、回転軸はこのケースに回転可能に支持される。ロータは回転軸の外径側に嵌合固定される。
【００１３】
図３は、ステータ１０において、３相ステータコイル２０の回路図である。図１に示すように３相ステータコイル２０は、Ｕ，Ｖ，Ｗ相のステータコイル２０ｕ，２０ｖ，２０ｗからなっており、各相のステータコイル２０ｕ，２０ｖ，２０ｗは、それぞれ４つの単位コイル線２１〜２４からなっている。図３では、３相ステータコイル２０について、各相ステータコイル２０ｕ，２０ｖ，２０ｗ毎にそれを構成する単位コイル線２１〜２４を記載してある。
【００１４】
Ｕ相ステータコイル２０ｕは、第１単位コイル線２１ｕ、第２単位コイル線２２ｕ、第３単位コイル線２３ｕ及び第４単位コイル線２４ｕを有する。Ｖ相ステータコイル２０ｖは、第１単位コイル線２１ｖ、第２単位コイル線２２ｖ、第３単位コイル線２３ｖ及び第４単位コイル線２４ｖを有する。Ｗ相ステータコイル２０ｗは、第１単位コイル線２１ｗ、第２単位コイル線２２ｗ、第３単位コイル線２３ｗ及び第４単位コイル線２４ｗを有する。第１単位コイル線２１、第２単位コイル線２２、第３単位コイル線２３及び第４単位コイル線２４は、各相で互いに並列に接続される。なお、第１単位コイル線２１ｕ、２１ｖ、２１ｗ、第２単位コイル線２２ｕ、２２ｖ、２２ｗ、第３単位コイル線２３ｕ、２３ｖ、２３ｗ、第４単位コイル線２４ｕ、２４ｖ、２４ｗは、それぞれ符号２１，２２，２３，２４で示す場合がある。
【００１５】
次に、図４を用いてＵ相ステータコイル２０ｕを具体的に説明する。図４は、ステータ１０にＵ相コイル部２５ｕを配置した状態で、Ｕ相の引き出し線２６ａ、２６ｂ、２６ｃ、２６ｄ、２７ａ、２７ｂ、２７ｃ、２７ｄと、給電部４０ｕ及び中性点結線部５０との接続状態を示す模式図である。
【００１６】
第１単位コイル線２１は、コイル部２５ｕと、給電側引き出し線２６ａと、中性点側引き出し線２７ａとを有する。第２単位コイル線２２は、コイル部２５ｕと、給電側引き出し線２６ｂと、中性点側引き出し線２７ｂとを有する。第３単位コイル線２３は、コイル部２５ｕと、給電側引き出し線２６ｃと、中性点側引き出し線２７ｃとを有する。第４単位コイル線２４は、コイル部２５ｕと、給電側引き出し線２６ｄと、中性点側引き出し線２７ｄとを有する。
【００１７】
Ｕ相ステータコイル２０ｕの４つのコイル部２５ｕは、ステータコア１２の周方向に等間隔で離れた４つの位置のティース１４（図１）に、図示しないインシュレータを介して集中巻きで巻回される。図１、図４及び後述する図５、図６では、コイル部２５ｕ、２５ｖ、２５ｗを模式的に台形で示している。各コイル部２５ｕ、２５ｖ、２５ｗは全長も含めて同じ大きさである。各コイル部２５ｕ、２５ｖ、２５ｗは、断面矩形の平角線または断面丸形の丸線のいずれにより構成してもよい。また、図１、図４及び後述する図５、図６では、給電側引き出し線２６ａ、２６ｂ、２６ｃ、２６ｄ、中性点側引き出し線２７ａ、２７ｂ、２７ｃ、２７ｄは、それぞれ実線、破線で示している。
【００１８】
各給電側引き出し線２６ａ、２６ｂ、２６ｃ、２６ｄは、コイル部２５ｕの一端から連続してステータコア１２の外周側に引き出される。そして、各給電側引き出し線２６ａ、２６ｂ、２６ｃ、２６ｄのうち、外周側に引き出された部分は、ステータコア１２の周方向において、後述のＵ相給電部４０ｕ側に伸びて配置される。各中性点側引き出し線２７ａ、２７ｂ、２７ｃ、２７ｄは、コイル部２５ｕの他端から連続してステータコア１２の外周側に引き出される。そして、各中性点側引き出し線２７ａ、２７ｂ、２７ｃ、２７ｄのうち、外周側に引き出された部分は、ステータコア１２の周方向において、後述の中性点結線部５０側に伸びて配置される。
【００１９】
図５は、ステータ１０にＶ相コイル部２５ｖを配置した状態で、Ｖ相の引き出し線２６ａ、２６ｂ、２６ｃ、２６ｄ、２７ａ、２７ｂ、２７ｃ、２７ｄと、給電部４０ｖ及び中性点結線部５０との接続状態を示す模式図である。Ｖ相ステータコイル２０ｖは、Ｕ相ステータコイル２０ｕの場合に対し各引き出し線２６ａ、２６ｂ、２６ｃ、２６ｄ、２７ａ、２７ｂ、２７ｃ、２７ｄの長さが異なる以外は、Ｕ相ステータコイル２０ｕと同様に構成される。
【００２０】
図６は、ステータ１０にＷ相コイル部２５ｗを配置した状態で、Ｗ相の引き出し線２６ａ、２６ｂ、２６ｃ、２６ｄ、２７ａ、２７ｂ、２７ｃ、２７ｄと、給電部４０ｗ及び中性点結線部５０との接続状態を示す模式図である。Ｗ相ステータコイル２０ｗは、Ｕ相ステータコイル２０ｕの場合に対し各引き出し線２６ａ、２６ｂ、２６ｃ、２６ｄ、２７ａ、２７ｂ、２７ｃ、２７ｄの長さが異なる以外は、Ｕ相ステータコイル２０ｕと同様に構成される。
【００２１】
各相の給電側引き出し線２６ａ、２６ｂ、２６ｃ、２６ｄ及び中性点側引き出し線２７ａ、２７ｂ、２７ｃ、２７ｄは、例えば図２に示すように、ステータコア１２のヨーク部の軸方向外側に径方向に並んで周方向に伸びるように形成される。例えばステータコア１２に図示しないインシュレータを装着し、そのインシュレータに形成された周方向の溝内に各引き出し線２６ａ、２６ｂ、２６ｃ、２６ｄ、２７ａ、２７ｂ、２７ｃ、２７ｄが配置されてもよい。なお、図２では、給電側引き出し線２６ａ、２６ｂ、２６ｃ、２６ｄを斜格子で示しており、中性点側引き出し線２７ａ、２７ｄを砂地で示している。
【００２２】
図１、図２に示すように、Ｕ相、Ｖ相、Ｗ相の給電部４０ｕ、４０ｖ、４０ｗは、ステータコア１２の外径側に配置される。より具体的には、給電部４０ｕ、４０ｖ、４０ｗは、ステータコア１２の周方向に離れた位置で、径方向において外周面よりも外側に配置される。Ｕ相給電部４０ｕは、周方向において、Ｖ相給電部４０ｖ及びＷ相給電部４０ｗの間に等間隔で離れて配置される。Ｖ相給電部４０ｖはＵ相給電部４０ｕの周方向一方側（図１、図２の右側）に配置され、Ｗ相給電部４０ｗはＵ相給電部４０ｕの周方向他方側（図１、図２の左側）に配置される。
【００２３】
また、Ｖ相給電部４０ｖ及びＷ相給電部４０ｗは、ステータコア１２の周方向に関してＵ相給電部４０ｕが配置されている側の半部（図１の上半部）に配置される。これによって、Ｖ相給電部４０ｖ及びＷ相給電部４０ｗは、Ｕ相給電部４０ｕを中心として１８０度の角度範囲内に配置される。
【００２４】
また、Ｖ相給電部４０ｖ及びＷ相給電部４０ｗは、Ｕ相給電部４０ｕに対し、周方向に角度ｄ１、ｄ２で離れて配置される。角度ｄ１、ｄ２は、隣り合うコイル部２５ｕ、２５ｖ、２５ｗにおいて、周方向中央位置の間隔についての角度Ｄ（図１）以下の大きさである。Ｖ相給電部４０ｖ及びＷ相給電部４０ｗと、Ｕ相給電部４０ｕとの間の角度ｄ１、ｄ２は互いに同じ大きさである。なお、角度ｄ１、ｄ２は互いに異なってもよい。図１の例では、各相４つの単位コイル線を有するため、角度Ｄ＝３０度になっている。
【００２５】
各相給電部４０ｕ、４０ｖ、４０ｗは、例えば分離可能な２つの要素を結合してなる金属製の筒状に形成される。Ｕ相給電部４０ｕには、Ｕ相の各給電側引き出し線２６ａ、２６ｂ、２６ｃ、２６ｄの一端を外径側に導出させて、各給電側引き出し線２６ａ、２６ｂ、２６ｃ、２６ｄを構成する導体素線において絶縁皮膜から露出させた部分を束ねて接続している。これによって、Ｕ相の給電側引き出し線２６ａ、２６ｂ、２６ｃ、２６ｄの一端は、対応する相であるＵ相給電部４０ｕに接続される。
【００２６】
Ｖ相の各給電側引き出し線２６ａ、２６ｂ、２６ｃ、２６ｄの一端も、Ｕ相の場合と同様に対応する相であるＶ相給電部４０ｖに接続される。Ｗ相の各給電側引き出し線２６ａ、２６ｂ、２６ｃ、２６ｄの一端も、Ｕ相の場合と同様に対応する相であるＷ相給電部４０ｗに接続される。各相給電部４０ｕ、４０ｖ、４０ｗは、図示しない端子部に接続される。各端子部に図示しない動力線が接続される。
【００２７】
中性点結線部５０は、ステータコア１２の外径側に配置される。より具体的には、中性点結線部５０は、ステータコア１２の径方向において外周面よりも外側において、Ｕ相給電部４０ｕと１８０度周方向に異なる位置に配置される。中性点結線部５０は、例えば分離可能な２つの要素を結合してなる金属製の筒状に形成される。Ｕ相、Ｖ相、Ｗ相の各中性点側引き出し線２７ａ、２７ｂ、２７ｃ、２７ｄの一端は、中性点結線部５０で束ねられて接続される。
【００２８】
また、Ｕ相ステータコイル２０ｕにおいて、第１単位コイル線２１の給電側引き出し線２６ａ及び中性点側引き出し線２７ａの合計長さをＬ１と規定する。第２単位コイル線２２の給電側引き出し線２６ｂ及び中性点側引き出し線２７ｂの合計長さをＬ２と規定する。第３単位コイル線２３の給電側引き出し線２６ｃ及び中性点側引き出し線２７ｃの合計長さをＬ３と規定する。第４単位コイル線２４の給電側引き出し線２６ｄ及び中性点側引き出し線２７ｄの合計長さをＬ４と規定する。このように合計長さＬ１，Ｌ２，Ｌ３，Ｌ４を規定した場合にＬ１，Ｌ２，Ｌ３，Ｌ４はすべて同じ大きさである。これによって、Ｕ相ステータコイル２０ｕにおいて、４つの第１単位コイル線２１、第２単位コイル線２２、第３単位コイル線２３及び第４単位コイル線２４の間で、給電側引き出し線２６ａ、２６ｂ、２６ｃ、２６ｄ及び中性点側引き出し線２７ａ、２７ｂ、２７ｃ、２７ｄの合計長さは互いに同じである。
【００２９】
一方、図１、図５、図６に示すように、Ｖ相ステータコイル２０ｖ及びＷ相ステータコイル２０ｗのそれぞれにおいて、給電部４０ｖ、４０ｗは、中性点結線部５０に対して周方向に１８０度とは異なる角度で離れた位置に配置される。Ｖ相ステータコイル２０ｖにおいて、４つの単位コイル線２１，２２，２３，２４の間で、給電側引き出し線２６ａ、２６ｂ、２６ｃ、２６ｄ及び中性点側引き出し線２７ａ、２７ｂ、２７ｃ、２７ｄの合計長さは完全に同じではないが、略同等である。また、Ｗ相ステータコイル２０ｗにおいて、４つの単位コイル線２１，２２，２３，２４の間でも、給電側引き出し線２６ａ、２６ｂ、２６ｃ、２６ｄ及び中性点側引き出し線２７ａ、２７ｂ、２７ｃ、２７ｄの合計長さは略同等である。そして、図７でＵ相ステータコイル２０ｕで代表して示すように、各相ステータコイル２０ｕにおいて、４つの単位コイル線２１，２２，２３，２４の一端は各相の給電部４０ｕに接続され、他端は中性点結線部５０で接続される。
【００３０】
上記のステータ１０によれば、Ｕ相ステータコイル２０ｕにおいて、４つの単位コイル線２１，２２，２３，２４の間で引き出し線２６ａ、２６ｂ、２６ｃ、２６ｄ、２７ａ、２７ｂ、２７ｃ、２７ｄの合計長さは同じである。また、Ｖ相給電部４０ｖ及びＷ相給電部４０ｗは、ステータコア１２の周方向に関してＵ相給電部４０ｕが配置されている側の半部に配置される。このため、Ｖ相ステータコイル２０ｖ及びＷ相ステータコイル２０ｗのそれぞれにおいて、４つの単位コイル線２１，２２，２３，２４の間で引き出し線２６ａ、２６ｂ、２６ｃ、２６ｄ、２７ａ、２７ｂ、２７ｃ、２７ｄの合計長さの差を小さくできる。しかも、Ｖ相給電部４０ｖ及びＷ相給電部４０ｗは、Ｕ相給電部４０ｕに対し、周方向に隣り合うコイル部２５ｕ、２５ｖ、２５ｗの中心間の角度Ｄ以下の角度ｄ１、ｄ２で離れている。このため、Ｖ相ステータコイル２０ｖ及びＷ相ステータコイル２０ｗのそれぞれにおいて、上記の合計長さの差をより小さくできる。これによって、各相において、各単位コイル線２１，２２，２３，２４の間で抵抗差を小さくできるか、またはなくせる。したがって、各相の単位コイル線２１，２２，２３，２４で流れる電流がほぼ同じになるので、並列に接続されるコイル部２５ｕ、２５ｖ、２５ｗ間での循環電流の発生を抑制できる。例えば、図７に示すように中性点結線部５０からＵ相給電部４０ｕに向けて矢印α方向に電流が流れる場合にほぼ同じ電流が流れるので循環電流は発生しにくい。したがって、ステータ１０を含んで構成される回転電機の駆動時において、損失悪化を抑制できる。また、循環電流の発生抑制によって、強制的な振動を抑制できるので騒音の発生も抑制できる。なお、各単位コイル線２１，２２，２３，２４間での銅損はなるべく小さくする要求があり、上述のように合計長さを同じか、または略同等とすることで、抵抗値を略同一にしている。各単位コイル線２１，２２，２３，２４の長さは、不具合が発生しない範囲で若干異なってもよい。
【００３１】
図８は、比較例の回転電機ステータにおいて、Ｕ相ステータコイル２０ｕの等価回路を示す図である。比較例では、上記の実施形態において、各相で４つの単位コイル線２１，２２，２３，２４の間で引き出し線の合計長さが大きく異なっている。これによって、各単位コイル線２１，２２，２３，２４で中性点結線部５０とＵ相給電部４０ｕとの間の長さが大きく異なっている。図８では第１単位コイル線２１ｕ、第２単位コイル線２２ｕ、第３単位コイル線２３ｕ、第４単位コイル線２４ｕの順に引き出し線の合計長さが大きくなっている。図８ではＵ相分のみを示しているが、Ｖ相、Ｗ相についても同様である。このような比較例では、等価回路で考えた場合に、４つの単位コイル線２１，２２，２３，２４において、異なる大きさの抵抗Ｒ１，Ｒ２，Ｒ３，Ｒ４が直列接続されているのと同じになる。抵抗Ｒ１，Ｒ２，Ｒ３，Ｒ４は、Ｒ１，Ｒ２，Ｒ３，Ｒ４の順に抵抗値が大きくなっている。すなわち、コイル部２５ｕの両端から引き出される引き出し線の合計長さが大きくなるほど、大きい抵抗がコイル部２５ｕに接続されているのと同じになる。これによって、例えば各コイル部２５ｕ側からＵ相給電部４０ｕに向けて電流が流れる場合に引き出し線の合計長さが大きくなるほど、各単位コイル線２１，２２，２３，２４を流れる電流の値が小さくなる。このことから、各単位コイル線２１，２２，２３，２４の両端間の電位差の間でアンバランスが生じるので、例えば、図５に矢印βで示すように循環電流が流れる可能性がある。これによって回転電機の損失が大きく悪化するおそれがある。
【００３２】
実施形態では、各相で各単位コイル線２１，２２，２３，２４の間で引き出し線２６ａ、２６ｂ、２６ｃ、２６ｄ、２７ａ、２７ｂ、２７ｃ、２７ｄの合計長さの差を小さくできるか、またはなくせる。このため、上記の不都合を防止できる。また、Ｕ相ステータコイル２０ｕにおいて、給電部４０ｕと中性点結線部５０とがステータコア１２の周方向に関して１８０度異なる位置に配置される。このため、各単位コイル線２１，２２，２３，２４の引き出し線２６ａ、２６ｂ、２６ｃ、２６ｄ、２７ａ、２７ｂ、２７ｃ、２７ｄの合計長さを同じにする構成を容易に実現できる。
【００３３】
以上、本発明を実施するための形態について説明したが、本発明はこうした実施形態に何ら限定されるものではなく、本発明の要旨を逸脱しない範囲内において、種々なる形態で実施し得ることは勿論である。例えば上記の実施形態ではＵ相給電部４０ｕが周方向においてＶ相給電部４０ｖとＷ相給電部４０ｗとの間に配置されているが、Ｖ相給電部４０ｖまたはＷ相給電部４０ｗが他の２相の給電部の間に配置されてもよい。この構成では、Ｖ相またはＷ相が第１相に相当する。この構成では、Ｖ相給電部４０ｖまたはＷ相給電部４０ｗが、中性点結線部５０と周方向において１８０度異なる位置に配置される。また、Ｖ相またはＷ相の各単位コイル線２１，２２，２３，２４の間で引き出し線の合計長さが同じになる。
【符号の説明】
【００３４】
１０  回転電機ステータ、１２  ステータコア、１３  ヨーク、１４  ティース、２０  ３相ステータコイル、２０ｕ  Ｕ相ステータコイル、２０ｖ  Ｖ相ステータコイル、２  ０ｗ  Ｗ相ステータコイル、２１ｕ，２１ｖ，２１ｗ  第１単位コイル線、２２ｕ，２  ２ｖ，２２ｗ  第２単位コイル線、２３ｕ，２３ｖ，２３ｗ  第３単位コイル線、２４  ｕ，２４ｖ，２４ｗ  第４単位コイル線、２５ｕ  Ｕ相コイル部、２５ｖ  Ｖ相コイル  部、２５ｗ  Ｗ相コイル部、２６ａ、２６ｂ、２６ｃ、２６ｄ  給電側引き出し線、２  ７ａ、２７ｂ、２７ｃ、２７ｄ  中性点側引き出し線、４０  ３相給電部、４０ｕ  Ｕ  相給電部、４０ｖ  Ｖ相給電部、４０ｗ  Ｗ相給電部、５０  中性点結線部。
【図１】
2016039642.tif 000003
【図２】
2016039642.tif 000004
【図３】
2016039642.tif 000005
【図４】
2016039642.tif 000006
【図５】
2016039642.tif 000007
【図６】
2016039642.tif 000008
【図７】
2016039642.tif 000009
【図８】
2016039642.tif 000010